(57)【要約】  本願は間欠受信の方法及び装置を開示し、該方法は、端末装置のデータ伝送に使用される伝送パラメータが変化した場合、前記端末装置がＤＲＸパラメータを調整することと、前記端末装置が調整後の前記ＤＲＸパラメータに基づいてＰＤＣＣＨを監視することと、を含む。従って、端末装置は伝送パラメータが変化した場合、ＤＲＸパラメータを動的に調整し、そして調整後のＤＲＸパラメータでＰＤＣＣＨをモニタリングすることができ、これにより、伝送パラメータが変化した場合でも端末装置がダウンリンク制御チャネルを効果的に監視できるように確保する。
2021518064.tif 000002
【特許請求の範囲】
【請求項１】
間欠受信（ＤＲＸ）の方法であって、
端末装置のデータ伝送に使用される伝送パラメータが変化した場合、前記端末装置がＤＲＸパラメータを調整することと、
前記端末装置が調整後の前記ＤＲＸパラメータに基づいてＰＤＣＣＨを監視することと、を含むことを特徴とする間欠受信（ＤＲＸ）の方法。
【請求項２】
前記伝送パラメータが変化することは、伝送帯域幅（ＢＷＰ）が変化することを含むことを特徴とする請求項１に記載の方法。
【請求項３】
前記端末装置がＤＲＸパラメータを調整することは、
前記端末装置が複数の基本パラメータセットと複数のＤＲＸパラメータとのマッピング関係に基づいて、前記ＤＲＸパラメータを第１基本パラメータセットに対応するＤＲＸパラメータに調整し、前記第１基本パラメータセットは変化後のＢＷＰにおいて採用される基本パラメータセットであることを含むことを特徴とする請求項２に記載の方法。
【請求項４】
前記端末装置がＤＲＸパラメータを調整することは、
前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含むことを特徴とする請求項２に記載の方法。
【請求項５】
前記端末装置がＤＲＸパラメータを調整することは、
前記端末装置が前記ＤＲＸパラメータを特定のＤＲＸパラメータに調整し、前記特定のＤＲＸパラメータはネットワーク装置により事前設定されたものであることを含むことを特徴とする請求項２に記載の方法。
【請求項６】
前記伝送パラメータが変化することは、伝送帯域幅（ＢＷＰ）が変化し、且つ基本パラメータセットが変化することを含むことを特徴とする請求項１に記載の方法。
【請求項７】
前記端末装置がＤＲＸパラメータを調整することは、
前記端末装置が複数の基本パラメータセットと複数のＤＲＸパラメータとのマッピング関係に基づいて、前記ＤＲＸパラメータを、変化後の基本パラメータセットに対応するＤＲＸパラメータに調整することを含むことを特徴とする請求項６に記載の方法。
【請求項８】
前記端末装置がＤＲＸパラメータを調整することは、
前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含むことを特徴とする請求項６に記載の方法。
【請求項９】
前記端末装置がＤＲＸパラメータを調整することは、
前記端末装置が前記ＤＲＸパラメータを特定のＤＲＸパラメータに調整し、前記特定のＤＲＸパラメータはネットワーク装置により事前設定されたものであることを含むことを特徴とする請求項６に記載の方法。
【請求項１０】
最も小さいサブキャリア間隔は１５ｋＨｚであることを特徴とする請求項４又は８に記載の方法。
【請求項１１】
前記端末装置がＤＲＸパラメータを調整する前に、前記方法は更に、
前記端末装置がネットワーク装置から送信された設定情報を受信し、前記設定情報は前記マッピング関係を示すことに用いられること、又は、
前記端末装置が、前記端末装置に事前に記憶された前記マッピング関係を取得することを含むことを特徴とする請求項１〜１０のいずれか１項に記載の方法。
【請求項１２】
前記ＤＲＸパラメータはＤＲＸ継続時間タイマ、及び／又はＤＲＸタイムスロットオフセットを含むことを特徴とする請求項１〜１１のいずれか１項に記載の方法。
【請求項１３】
端末装置であって、
データ伝送に使用される伝送パラメータが変化した場合、前記端末装置が間欠受信（ＤＲＸ）パラメータを調整することに用いられる調整ユニットと、
前記調整ユニットにより調整された後の前記ＤＲＸパラメータに基づいてＰＤＣＣＨを監視することに用いられる通信ユニットと、を備えることを特徴とする端末装置。
【請求項１４】
前記伝送パラメータが変化することは、伝送帯域幅（ＢＷＰ）が変化することを含むことを特徴とする請求項１３に記載の端末装置。
【請求項１５】
前記調整ユニットは具体的に、
複数の基本パラメータセットと複数のＤＲＸパラメータとのマッピング関係に基づいて、前記ＤＲＸパラメータを第１基本パラメータセットに対応するＤＲＸパラメータに調整し、前記第１基本パラメータセットは変化後のＢＷＰにおいて採用される基本パラメータセットであることに用いられることを特徴とする請求項１４に記載の端末装置。
【請求項１６】
前記調整ユニットは具体的に、
複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることに用いられることを特徴とする請求項１４に記載の端末装置。
【請求項１７】
前記調整ユニットは具体的に、
前記ＤＲＸパラメータを特定のＤＲＸパラメータに調整し、前記特定のＤＲＸパラメータはネットワーク装置により事前設定されたものであることに用いられることを特徴とする請求項１４に記載の端末装置。
【請求項１８】
前記伝送パラメータが変化することは、伝送帯域幅（ＢＷＰ）が変化し、且つ基本パラメータセットが変化することを含むことを特徴とする請求項１３に記載の端末装置。
【請求項１９】
前記調整ユニットは具体的に、
複数の基本パラメータセットと複数のＤＲＸパラメータとのマッピング関係に基づいて、前記ＤＲＸパラメータを、変化後の基本パラメータセットに対応するＤＲＸパラメータに調整することに用いられることを特徴とする請求項１８に記載の端末装置。
【請求項２０】
前記調整ユニットは具体的に、
複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることに用いられることを特徴とする請求項１８に記載の端末装置。
【請求項２１】
前記調整ユニットは具体的に、
前記ＤＲＸパラメータを特定のＤＲＸパラメータに調整し、前記特定のＤＲＸパラメータはネットワーク装置により事前設定されたものであることに用いられることを特徴とする請求項１８に記載の端末装置。
【請求項２２】
最も小さいサブキャリア間隔は１５ｋＨｚであることを特徴とする請求項１６又は１８に記載の端末装置。
【請求項２３】
前記調整ユニットは更に、
前記通信ユニットを介してネットワーク装置から送信された設定情報を受信し、前記設定情報は前記マッピング関係を示すことに用いられること、又は、
前記端末装置に事前に記憶された前記マッピング関係を取得することに用いられることを特徴とする請求項１３〜２２のいずれか１項に記載の端末装置。
【請求項２４】
前記ＤＲＸパラメータはＤＲＸ継続時間タイマ、及び／又はＤＲＸタイムスロットオフセットを含むことを特徴とする請求項１３〜２３のいずれか１項に記載の端末装置。
【発明の詳細な説明】
【技術分野】
【０００１】
本願実施例は通信分野に関し、より具体的には、間欠受信（ＤＲＸ、Ｄｉｓｃｏｎｔｉｎｕｏｕｓ  Ｒｅｃｅｐｔｉｏｎ）の方法及び装置に関する。
【背景技術】
【０００２】
端末装置の節電のために、ＤＲＸメカニズムが導入されている。ネットワーク装置は、ネットワーク装置の予知した時間に「ウェイクアップ」し、そしてウェイクアップ時にダウンリンク制御チャネルをモニタリングするように端末装置を設定してもよく、ネットワーク装置の予知した時間に「スリープ」し、そしてスリープ時にダウンリンク制御チャネルをモニタリングしないように端末装置を設定してもよい。そうすると、ネットワーク装置は、端末装置に伝送しようとするデータがある場合、端末装置のウェイクアップ時間内に該端末装置をスケジューリングすることができ、端末装置のスリープ時間内での消費電力を低減することができる。
【０００３】
５Ｇシステムでは、端末装置の伝送パラメータは柔軟に変化することができ、そのような変化は端末装置の制御チャネルに対するモニタリングに影響を及ぼす可能性がある。従って、５Ｇシステムでは、どのように端末装置の効果的なダウンリンク制御チャネルモニタリングを確保するかは、早急に解決すべき課題となっている。
【発明の概要】
【発明が解決しようとする課題】
【０００４】
本願実施例は、間欠受信の方法及び装置を提供し、端末装置の効果的なダウンリンク制御チャネルモニタリングを確保できる。
【課題を解決するための手段】
【０００５】
第１態様は間欠受信の方法を提供し、端末装置のデータ伝送に使用される伝送パラメータが変化した場合、前記端末装置がＤＲＸパラメータを調整することと、前記端末装置が調整後の前記ＤＲＸパラメータに基づいてＰＤＣＣＨを監視することと、を含む。
【０００６】
従って、端末装置は伝送パラメータが変化した場合、ＤＲＸパラメータを動的に調整し、そして調整後のＤＲＸパラメータでＰＤＣＣＨをモニタリングすることができ、これにより、伝送パラメータが変化した場合でも端末装置がダウンリンク制御チャネルを効果的に監視できるように確保する。
【０００７】
１つの可能な実現方式では、前記伝送パラメータが変化することは、伝送帯域幅（ＢＷＰ）が変化することを含む。
【０００８】
１つの可能な実現方式では、前記端末装置がＤＲＸパラメータを調整することは、前記端末装置が複数の基本パラメータセットと複数のＤＲＸパラメータとのマッピング関係に基づいて、前記ＤＲＸパラメータを第１基本パラメータセットに対応するＤＲＸパラメータに調整し、前記第１基本パラメータセットは変化後のＢＷＰにおいて採用される基本パラメータセットであることを含む。
【０００９】
１つの可能な実現方式では、前記端末装置がＤＲＸパラメータを調整することは、前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含む。
【００１０】
１つの可能な実現方式では、前記端末装置がＤＲＸパラメータを調整することは、前記端末装置が前記ＤＲＸパラメータを特定のＤＲＸパラメータに調整し、前記特定のＤＲＸパラメータは事前設定されたものであることを含む。
【００１１】
１つの可能な実現方式では、前記伝送パラメータが変化することは、伝送帯域幅（ＢＷＰ）が変化し、且つ基本パラメータセットが変化することを含む。
【００１２】
１つの可能な実現方式では、前記端末装置がＤＲＸパラメータを調整することは、前記端末装置が複数の基本パラメータセットと複数のＤＲＸパラメータとのマッピング関係に基づいて、前記ＤＲＸパラメータを、変化後の基本パラメータセットに対応するＤＲＸパラメータに調整することを含む。
【００１３】
１つの可能な実現方式では、前記端末装置がＤＲＸパラメータを調整することは、前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含む。
【００１４】
１つの可能な実現方式では、前記端末装置がＤＲＸパラメータを調整することは、前記端末装置が前記ＤＲＸパラメータを特定のＤＲＸパラメータに調整し、前記特定のＤＲＸパラメータは事前設定されたものであることを含む。
【００１５】
１つの可能な実現方式では、最も小さいサブキャリア間隔は１５ｋＨｚである。
【００１６】
１つの可能な実現方式では、前記端末装置がＤＲＸパラメータを調整する前に、前記方法は更に、前記端末装置がネットワーク装置から送信された設定情報を受信し、前記設定情報は前記マッピング関係を示すことに用いられること、又は、前記端末装置が前記端末装置に事前に記憶された前記マッピング関係を取得することを含む。
【００１７】
１つの可能な実現方式では、前記ＤＲＸパラメータは、ＤＲＸ継続時間タイマ、及び／又はＤＲＸタイムスロットオフセットを含む。
【００１８】
第２態様は端末装置を提供し、該端末装置は上記の第１態様又は第１態様のいずれかの選択可能な実現方式における端末装置の動作を実行できる。具体的に、該端末装置は上記第１態様又は第１態様のいずれかの可能な実現方式におけるを備える。
【００１９】
第３態様は、端末装置を提供し、該端末装置はプロセッサ、送受信機及びメモリを備える。該プロセッサ、送受信機及びメモリは内部接続経路を介して互いに通信する。該メモリは命令を記憶することに用いられ、該プロセッサは該メモリに記憶される命令を実行することに用いられる。該プロセッサが該メモリに記憶される命令を実行する時、該実行によって、該端末装置は第１態様又は第１態様のいずれかの可能な実現方式における方法を実行し、又は、該実行によって、該端末装置は第２態様の提供する端末装置を実現する。
【００２０】
第４態様は、システムチップを提供し、該システムチップは入力インタフェース、出力インタフェース、プロセッサ、メモリを含み、該プロセッサは該メモリに記憶される命令を実行することに用いられ、該命令が実行される時、該プロセッサは前述の第１態様又は第１態様のいずれかの可能な実現方式における方法を実現できる。
【００２１】
第５態様は、命令を含むコンピュータプログラム製品を提供し、前記コンピュータプログラム製品がコンピュータにおいて実行される時、該コンピュータは上記第１態様又は第１態様のいずれかの可能な実現方式における方法を実行する。
【図面の簡単な説明】
【００２２】
【図１】図１は本願実施例による無線通信システムの模式図である。
【図２】図２はＤＲＸ周期の模式図である。
【図３】図３は伝送パラメータの変化が制御チャネルの監視に及ぼす影響の模式図である。
【図４】図４は本願実施例の、間欠受信の方法の模式的なフローチャートである。
【図５】図５は本願実施例の端末装置の模式的なブロック図である。
【図６】図６は本願実施例の端末装置の模式的な構造図である。
【図７】図７は本願実施例のシステムチップの模式的な構造図である。
【発明を実施するための形態】
【００２３】
本願実施例の技術案は、各種の通信システム、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称される）、ロングタームエボリューション（Ｌｏｎｇ  Ｔｅｒｍ  Ｅｖｏｌｕｔｉｏｎ、「ＬＴＥ」と略称される）システム、ＬＴＥ周波数分割二重接続（Ｆｒｅｑｕｅｎｃｙ  Ｄｉｖｉｓｉｏｎ  Ｄｕｐｌｅｘ、「ＦＤＤ」と略称される）システム、ＬＴＥ時分割二重（Ｔｉｍｅ  Ｄｉｖｉｓｉｏｎ  Ｄｕｐｌｅｘ、「ＴＤＤ」と略称される）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、「ＵＭＴＳ」と略称される）、マイクロ波アクセスの世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称される）通信システム、又は将来の５Ｇシステム等に適用できる。
【００２４】
図１は本願実施例の適用する無線通信システム１００を示す。該無線通信システム１００はネットワーク装置１１０を備えてもよい。ネットワーク装置１００は端末装置と通信する装置であってもよい。ネットワーク装置１００は特定の地理的区域に通信カバレッジを提供でき、そして該カバレッジ区域内に位置する端末装置（例えばＵＥ）と通信できる。選択肢として、該ネットワーク装置１００はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよく、又は、該ネットワーク装置は、中継局、アクセスポイント、車載装置、ウェアラブルデバイス、将来の５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２５】
該無線通信システム１００は更にネットワーク装置１１０のカバレッジ範囲内に位置する少なくとも１つの端末装置１２０を備える。端末装置１２０は移動式又は固定式であってもよい。選択肢として、端末装置１２０は、アクセス端末、ユーザ機器（ＵＥ、Ｕｓｅｒ  Ｅｑｕｉｐｍｅｎｔ）、加入者ユニット、加入者局、移動局、移動ステーション、遠隔局、遠隔端末、モバイルデバイス、ユーザ端末、端末、無線通信装置、ユーザエージェント、又はユーザ装置を指してもよい。アクセス端末は、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置又は無線モデムに接続された他の処理装置、車載装置、ウェアラブル装置、将来の５Ｇネットワークにおける端末装置又は将来進化するＰＬＭＮにおける端末装置等であってもよい。
【００２６】
選択肢として、端末装置１２０同士間で端末ダイレクト（Ｄ２Ｄ、Ｄｅｖｉｃｅ  ｔｏ  Ｄｅｖｉｃｅ）通信ができる。
【００２７】
選択肢として、５Ｇシステム又はネットワークは更に新無線（ＮＲ、Ｎｅｗ  Ｒａｄｉｏ）システム又はネットワークと称されてもよい。
【００２８】
図１は１つのネットワーク装置と２つの端末装置を例示的に示しているが、選択肢として、該無線通信システム１００は複数のネットワーク装置を備えてもよく、そして各ネットワーク装置のカバレッジ範囲内に他の数の端末装置が含まれてもよく、本願実施例はこれを限定しない。
【００２９】
選択肢として、該無線通信システム１００は更に、ネットワークコントローラ、移動管理エンティティ等の他のネットワークエンティティを備えてもよく、本願実施例はこれを限定しない。
【００３０】
ＬＴＥシステムでは、メディアアクセス制御（ＭＡＣ、Ｍｅｄｉａ  Ａｃｃｅｓｓ  Ｃｏｎｔｒｏｌ）エンティティ（ＭＡＣ  ｅｎｔｉｔｙ）は、無線リソース制御（ＲＲＣ、Ｒａｄｉｏ  Ｒｅｓｏｕｒｃｅ  Ｃｏｎｔｒｏｌ）によって、端末装置の物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）監視動作を制御するためのＤＲＸ機能が設定される。例えば、図２に示すように、ＲＲＣ接続（ＲＲＣ  ＣＯＮＮＥＣＴＥＤ）モードでは、端末装置にＤＲＸ機能が設定された場合、ＭＡＣエンティティはウェイクアップ期間（Ｏｎ  Ｄｕｒａｔｉｏｎ）内にＰＤＣＣＨを監視し続け、スリープ期間（Ｏｐｐｏｒｔｕｎｉｔｙ  ｆｏｒ  ＤＲＸ）内にＰＤＣＣＨを監視しないことができ、これにより、端末装置の消費電力が低減される。ネットワーク装置はＲＲＣシグナリングを介してＭＡＣエンティティにＤＲＸパラメータのセット、例えば、一連のＤＲＸタイマを設定して、端末装置のウェイクアップとスリープ状態を管理してもよい。これらのパラメータの値に基づいて、図２に示すＤＲＸ周期を取得することができる。
【００３１】
５Ｇシステムでは、端末装置の伝送パラメータ、例えば基本パラメータセット（Ｎｕｍｅｒｏｌｏｇｙ）は、柔軟に変化することができ、そのような変化は端末装置の制御チャネルに対する監視に影響を及ぼす可能性がある。
【００３２】
例えば図３に示すように、仮にネットワーク装置は端末装置に対して１つのＤＲＸ継続時間タイマ（ｄｒｘ−ｏｎＤｕｒａｔｉｏｎＴｉｍｅｒ）を設定し、該タイマの時間長さはＢＷＰ  ２の制御リソースセット（ＣＯＲＥＳＥＴ、Ｃｏｎｔｒｏｌ  Ｒｅｓｏｕｒｓｅ  Ｓｅｔ）に等しいとする。図３でのＢＷＰ  １とＢＷＰ  ２において採用される基本パラメータセット、例えばサブキャリア間隔が異なり、ＢＷＰ  １において採用されるサブキャリア間隔は例えば１５ｋＨｚであってもよく、ＢＷＰ  ２において採用されるサブキャリア間隔は例えば３０ｋＨｚであってもよい。端末装置が帯域幅パート（ＢＷＰ、Ｂａｎｄｗｉｔｈ  Ｐａｒｔ）２からＢＷＰ  １に切り替えられる場合、該タイマはＢＷＰ１の制御リソースセットの時間長さ内にタイムアウトし、そうすると、該端末装置はＢＷＰ  １の制御リソースセットにおける物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）リソースを監視できない。
【００３３】
本願実施例では、端末装置は伝送パラメータが変化した場合、ＤＲＸパラメータを動的に調整し、そして調整後のＤＲＸパラメータでＰＤＣＣＨを監視することができ、これにより、伝送パラメータが変化した場合でも端末装置がダウンリンク制御チャネルを効果的に監視できるように確保する。
【００３４】
理解されるように、本願実施例における監視（ｍｏｎｉｔｏｒｉｎｇ）はまた、インターセプト、検知、監聴、検出等と称されてもよい。
【００３５】
更に理解されるように、本願実施例での基本パラメータセットはサブキャリア間隔を含むが、これには限らない。例えば、該基本パラメータセットは、サブキャリア間隔、特定帯域幅でのサブキャリア数、物理リソースブロック（ＰＲＢ、Ｐｕｂｌｉｃ  Ｒｅｓｏｕｒｃｅ  Ｂｌｏｃｋ）におけるサブキャリア数、直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの長さ、ＯＦＤＭ信号を生成するためのフーリエ変換又は逆フーリエ変換のポイント数、伝送時間間隔（ＴＴＩ、Ｔｒａｎｓｍｉｓｓｉｏｎ  Ｔｉｍｅ  Ｉｎｔｅｒｖａｌ）におけるＯＦＤＭシンボル数、特定時間長さ内に含まれるＴＴＩの個数及び信号プリフィックスの長さのうちの少なくとも１種類のパラメータを含んでもよい。
【００３６】
図４は本願実施例の、間欠受信の方法の模式的なフローチャートである。図４に示す端末装置は、例えば、図１に示す端末装置１２０であってもよい。図４に示すように、該間欠受信の方法は、以下の４１０〜４２０の内容を含む。
【００３７】
４１０では、端末装置のデータ伝送に使用される伝送パラメータが変化した場合、該端末装置はＤＲＸパラメータを調整する。
【００３８】
４２０では、該端末装置は調整後のＤＲＸパラメータに基づいてＰＤＣＣＨを監視する。
【００３９】
具体的に、端末装置のデータ伝送に使用される伝送パラメータ、例えば、ＢＷＰ又は基本パラメータセットが変化した場合、該端末装置は現在使用しているＤＲＸパラメータを調整し、そして調整後のＤＲＸパラメータに基づいて引き続きデータ伝送、たとえば、ＰＤＣＣＨの監視を行ってもよい。
【００４０】
従って、端末装置は伝送パラメータが変化した場合、ＤＲＸパラメータを動的に調整し、そして調整後のＤＲＸパラメータでＰＤＣＣＨを監視することができ、これにより、伝送パラメータが変化した場合でも端末装置がダウンリンク制御チャネルを効果的に監視できるように確保する。
【００４１】
該ＤＲＸパラメータは、例えば、ＤＲＸタイムスロットオフセット（ｄｒｘ−ＳｌｏｔＯｆｆｓｅｔ）、及び／又は、ＤＲＸ継続時間タイマ（ｄｒｘ−ｏｎＤｕｒａｔｉｏｎＴｉｍｅｒ）であってもよい。
【００４２】
選択肢として、４１０では、端末装置の伝送パラメータが変化することは、端末装置の使用するＢＷＰが変化し、及び／又は端末装置の使用する基本パラメータセットが変化することであってもよい。即ち、該伝送パラメータはＢＷＰ及び／又は基本パラメータセットを含む。
【００４３】
選択肢として、端末装置のデータ伝送に使用可能な複数のＢＷＰは複数の基本パラメータセットに対応してもよく、端末装置はデータ伝送にどちらのＢＷＰを使用すれば、該ＢＷＰに対応する基本パラメータセットを使用してデータ伝送してもよい。各ＢＷＰは１つの基本パラメータセットに対応し、各基本パラメータセットは少なくとも１つのＢＷＰに対応してもよい。従って、ＢＷＰが変化した場合、該端末装置の使用する基本パラメータセットは変化してもよく、変化しなくてもよい。しかし、端末装置の使用する基本パラメータセットが変化した場合、該端末装置の使用するＢＷＰが変化したことを意味する。以下は、この２つの情況をそれぞれ説明する。
【００４４】
まずは第１の情況、該伝送パラメータが変化することが、伝送帯域幅（ＢＷＰ）が変化することを含む、という場合について説明する。このような場合では、端末装置は以下の３つの方式でＤＲＸパラメータを調整してもよい。
【００４５】
方式１
端末装置は、複数の基本パラメータセットと複数のＤＲＸパラメータとのマッピング関係に基づいて、該ＤＲＸパラメータを、第１基本パラメータセットに対応するＤＲＸパラメータに調整する。該第１基本パラメータセットは変化後のＢＷＰにおいて採用される基本パラメータセットである。
【００４６】
例えば、仮に該基本パラメータセットにサブキャリア間隔が含まれ、ＤＲＸパラメータにＤＲＸ継続時間タイマ及びＤＲＸタイムスロットオフセットが含まれることとする。そうすると、基本パラメータセットとＤＲＸとのマッピング関係は、例えば、表１に示すマッピング関係であってもよい。  
【表１】
2021518064.tif 000003
【００４７】
表１に示すように、端末装置がデータ伝送する時、ＢＷＰ２からＢＷＰ１に切替し、ＢＷＰ１において採用されるサブキャリア間隔は仮に１５ｋＨｚであり、ＢＷＰ２において採用されるサブキャリア間隔は仮に３０ｋＨｚである場合、端末装置はＤＲＸパラメータを、ＢＷＰ１において採用される３０ｋＨｚのサブキャリア間隔に対応するＤＲＸパラメータから、ＢＷＰ２において採用される１５ｋＨｚのサブキャリア間隔に対応するＤＲＸパラメータに切り替える必要があり、即ち、ＤＲＸ継続時間タイマのタイミング時間長さを、１６−３２ｍｓ以上から１ｍｓ以上に調整し、そしてＤＲＸタイムスロットオフセットを｛０ｍｓ，１６−３２ｍｓ｝範囲内から０ｍｓに調整する。これにより、端末装置は調整後のＤＲＸパラメータを使用して、ＢＷＰ１のＣＯＲＥＳＥＴにおいてＰＤＣＣＨを監視する。
【００４８】
勿論、もし切り替え前後のＢＷＰにおいて採用される基本パラメータセットが同じであれば、端末装置はＤＲＸパラメータを調整しなくてもよい。
【００４９】
方式２
該端末装置は複数の基本パラメータセットと複数のＤＲＸパラメータとのマッピング関係に基づいて、該ＤＲＸパラメータを第２基本パラメータセットに対応するＤＲＸパラメータに調整し、該第２基本パラメータセットはサブキャリア間隔が最も小さい基本パラメータセットである。
【００５０】
最も小さいサブキャリア間隔は例えば表１における１５ｋＨｚであってもよい。
【００５１】
基本パラメータセットとＤＲＸとの該マッピング関係は、例えば、表１に示すようなものであってもよい。端末装置のデータ伝送に使用されるＢＷＰが変化した場合、異なる基本パラメータセット（サブキャリア間隔）と異なるＤＲＸパラメータとの該マッピング関係に基づいて、直接にＤＲＸパラメータを最も小さいサブキャリア間隔に対応するＤＲＸパラメータ、即ち、１５ｋＨｚに対応するＤＲＸパラメータに調整してもよい。
【００５２】
方式３
該端末装置は該ＤＲＸパラメータを特定のＤＲＸパラメータに調整し、該特定のＤＲＸパラメータは事前設定されたものである。
【００５３】
該特定のＤＲＸパラメータはネットワーク装置が事前に端末装置に対して設定したものであってもよく、ネットワーク装置と端末装置とが事前に約束した、例えば、プロトコルにおいて規定したＤＲＸパラメータであってもよい。端末装置のデータ伝送に使用されるＢＷＰが変化した場合、現在使用しているＤＲＸパラメータを該特定のＤＲＸパラメータに直接に調整してもよい。
【００５４】
該特定のＤＲＸパラメータは例えば、方式２における最も小さいサブキャリア間隔に対応するＤＲＸパラメータであり、又は他のデフォルトのＤＲＸパラメータであってもよい。
【００５５】
以下は第２の情況を説明する。第２の情況では、該伝送パラメータが変化することは、伝送帯域幅（ＢＷＰ）が変化し、且つ基本パラメータセットが変化することを含む。又は、該伝送パラメータが変化することは基本パラメータセットが変化することを含むというように言ってもよく、何故なら、基本パラメータセットが変化することは該端末装置の使用するＢＷＰも変化することを意味するからである。
【００５６】
このような場合でも、端末装置は３つの方式でＤＲＸパラメータを調整してもよく、以下はそれぞれ説明する。
【００５７】
方式１
該端末装置は、複数の基本パラメータセットと複数のＤＲＸパラメータとのマッピング関係に基づいて、該ＤＲＸパラメータを、変化後の基本パラメータセットに対応するＤＲＸパラメータに調整する。
【００５８】
端末装置の使用する基本パラメータセットが変化した場合、該端末装置は、基本パラメータセットとＤＲＸパラメータとのマッピング関係に基づいて該ＤＲＸパラメータを調整してもよく、調整後のＤＲＸパラメータは変化後の基本パラメータセットに対応するＤＲＸパラメータである。
【００５９】
基本パラメータセットとＤＲＸパラメータとの該マッピング関係は、例えば、表１に示すようなものであってもよい。例えば、仮に該基本パラメータセットにサブキャリア間隔が含まれ、端末がその使用するサブキャリア間隔が３０ｋＨｚから１５ｋＨｚに切り替わったと判断した場合、該端末装置はＤＲＸを１５ｋＨｚに対応するＤＲＸパラメータに調整し、即ち、ＤＲＸ継続時間タイマのタイミング時間長さを１ｍｓ以上に調整し、そしてＤＲＸタイムスロットオフセットを０ｍｓに調整し、そして調整後のＤＲＸパラメータに基づいてＰＤＣＣＨを監視する。
【００６０】
方式２
該端末装置は複数の基本パラメータセットと複数のＤＲＸパラメータとのマッピング関係に基づいて、該ＤＲＸパラメータを第２基本パラメータセットに対応するＤＲＸパラメータに調整し、該第２基本パラメータセットはサブキャリア間隔が最も小さい基本パラメータセットである。
【００６１】
最も小さいサブキャリア間隔は例えば表１における１５ｋＨｚであってもよい。
【００６２】
基本パラメータセットとＤＲＸとの該マッピング関係は、例えば、表１に示すようなものであってもよい。端末装置のデータ伝送に使用されるＢＷＰが変化した場合、異なる基本パラメータセット（サブキャリア間隔）と異なるＤＲＸパラメータとのマッピング関係に基づいて、直接にＤＲＸパラメータを最も小さいサブキャリア間隔に対応するＤＲＸパラメータ、即ち、１５ｋＨｚに対応するＤＲＸパラメータに調整してもよい。
【００６３】
方式３
該端末装置は該ＤＲＸパラメータを特定のＤＲＸパラメータに調整し、該特定のＤＲＸパラメータは事前設定されたものである。
【００６４】
最も小さいサブキャリア間隔は例えば１５ｋＨｚであってもよい。
【００６５】
該特定のＤＲＸパラメータはネットワーク装置が事前に端末装置に対して設定したものであってもよく、ネットワーク装置と端末装置とが事前に約束した、例えば、プロトコルにおいて規定したＤＲＸパラメータであってもよい。端末装置のデータ伝送に使用される基本パラメータセット、例えば、サブキャリア間隔が変化した場合、現在使用しているＤＲＸパラメータを該特定のＤＲＸパラメータに直接に調整してもよい。
【００６６】
該特定のＤＲＸは例えば、方式２における最も小さいサブキャリア間隔に対応するＤＲＸパラメータであり、又は他のデフォルトのＤＲＸパラメータであってもよい。
【００６７】
選択肢として、４１０の前、即ち端末装置がＤＲＸパラメータを調整する前に、該端末装置は複数の基本パラメータセットと複数のＤＲＸパラメータとのマッピング関係を取得する必要がある。具体的に、該端末装置はネットワーク装置から送信された、該マッピング関係を示すための設定情報を受信してもよく、これにより、ネットワークの設定に基づいて該マッピング関係を取得し、又は、該マッピング関係は事前に約束され、そして該端末装置に事前に記憶されたものであってもよい。
【００６８】
以上は本願実施例による間欠受信の方法を詳しく説明したが、以下は図５〜図７を参照しながら、本願実施例による装置を説明する。方法実施例で説明した技術的特徴は以下の装置実施例に適用する。
【００６９】
図５は本願実施例による端末装置５００の模式的なブロック図である。図５に示すように、該端末装置５００は調整ユニット５１０と通信ユニット５２０を備える。
【００７０】
該調整ユニット５１０は、データ伝送に使用される伝送パラメータが変化した場合、前記端末装置がＤＲＸパラメータを調整することに用いられる。
【００７１】
該通信ユニット５２０は、前記調整ユニット５１０により調整された後の前記ＤＲＸパラメータに基づいてＰＤＣＣＨを監視することに用いられる。
【００７２】
従って、端末装置は伝送パラメータが変化した場合、ＤＲＸパラメータを動的に調整し、そして調整後のＤＲＸパラメータでＰＤＣＣＨを監視することができ、これにより、伝送パラメータが変化した場合でも端末装置がダウンリンク制御チャネルを効果的に監視できるように確保する。
【００７３】
選択肢として、前記伝送パラメータが変化することは、伝送帯域幅（ＢＷＰ）が変化することを含む。
【００７４】
選択肢として、前記調整ユニット５１０は具体的に、複数の基本パラメータセットと複数のＤＲＸパラメータとのマッピング関係に基づいて、前記ＤＲＸパラメータを第１基本パラメータセットに対応するＤＲＸパラメータに調整し、前記第１基本パラメータセットは変化後のＢＷＰにおいて採用される基本パラメータセットであることに用いられる。
【００７５】
選択肢として、前記調整ユニット５１０は具体的に、複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることに用いられる。
【００７６】
選択肢として、前記調整ユニット５１０は具体的に、前記ＤＲＸパラメータを特定のＤＲＸパラメータに調整し、前記特定のＤＲＸパラメータはネットワーク装置により事前設定されたものであることに用いられる。
【００７７】
選択肢として、前記伝送パラメータが変化することは、伝送帯域幅（ＢＷＰ）が変化し、且つ基本パラメータセットが変化することを含む。
【００７８】
選択肢として、前記調整ユニット５１０は具体的に、複数の基本パラメータセットと複数のＤＲＸパラメータとのマッピング関係に基づいて、前記ＤＲＸパラメータを、変化後の基本パラメータセットに対応するＤＲＸパラメータに調整することに用いられる。
【００７９】
選択肢として、前記調整ユニット５１０は具体的に、複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることに用いられる。
【００８０】
選択肢として、前記調整ユニット５１０は具体的に、前記ＤＲＸパラメータを特定のＤＲＸパラメータに調整し、前記特定のＤＲＸパラメータはネットワーク装置により事前設定されたものであることに用いられる。
【００８１】
選択肢として、最も小さいサブキャリア間隔は１５ｋＨｚである。
【００８２】
選択肢として、前記調整ユニット５１０は更に、前記通信ユニット５２０を介して、ネットワーク装置から送信された設定情報を受信し、前記設定情報は前記マッピング関係を示すことに用いられること、又は、前記端末装置に事前に記憶された前記マッピング関係を取得することに用いられる。
【００８３】
選択肢として、前記ＤＲＸパラメータは、ＤＲＸ継続時間タイマ、及び／又はＤＲＸタイムスロットオフセットを含む。
【００８４】
理解されるように、該端末装置５００は上記方法４００における端末装置により実行される相応の操作を実行でき、簡潔のために、ここでは繰り返し説明しない。
【００８５】
図６は本願実施例による端末装置６００の模式的な構造図である。図６に示すように、該端末装置は、プロセッサ６１０、送受信機６２０及びメモリ６３０を備え、該プロセッサ６１０、送受信機６２０及びメモリ６３０は内部接続経路を介して互いに通信する。該メモリ６３０は命令を記憶することに用いられ、該プロセッサ６１０は該メモリ６３０に記憶される命令を実行することに用いられ、それによって、該送受信機６２０の受信又は送信を制御する。
【００８６】
選択肢として、該プロセッサ６１０はメモリ６３０に記憶されるプログラムコードを呼び出して、方法４００における端末装置により実行される相応の操作を実行することができ、簡潔のために、ここでは繰り返し説明しない。
【００８７】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素であってもよい。本願実施例に開示される各方法、ステップ及び論理ブロック図を実現又は実行することができる。汎用プロセッサはマイクロプロセッサであってもよく、又は該プロセッサは更に如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【００８８】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。制限的ではなく、例示的な説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本願に説明されるシステム及び方法のメモリはこれらのメモリ及び任意の他の適切なタイプのメモリを含むが、これらに限らないように意図されている。
【００８９】
図７は本願実施例のシステムチップの模式的な構造図である。図７のシステムチップ７００は入力インタフェース７０１、出力インタフェース７０２、少なくとも１つのプロセッサ７０３、メモリ７０４を備え、前記入力インタフェース７０１、出力インタフェース７０２、前記プロセッサ７０３及びメモリ７０４は内部接続経路を介して互いに接続される。前記プロセッサ７０３は前記メモリ７０４におけるコードを実行することに用いられる。
【００９０】
選択肢として、前記コードが実行される時、前記プロセッサ７０３は方法４００における、端末装置により実行される相応の操作を実現できる。簡潔のために、ここでは繰り返し説明しない。
【００９１】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【００９２】
当業者が明確に理解できるように、説明を容易且つ簡単にするために、上記説明されたシステム、装置及びユニットの具体的な動作過程は、前述の方法実施例における対応する過程を参照でき、ここでは繰り返し説明しない。
【００９３】
本願に係る幾つかの実施例において、理解されるように、開示されるシステム、装置及び方法は他の方式で実現されてもよい。例えば、上記の装置実施例は単に模式的なものであり、例えば、該ユニットの区分は論理的な機能区分に過ぎず、実際の実施では他の区分方式があってもよく、例えば、複数のユニット又はコンポーネントが組み合わせられても、又は他のシステムに統合されてもよく、又は一部の特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【００９４】
分離部材として説明された前記ユニットは物理的に分離したものであってもでなくてもよく、ユニットとして表示された部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【００９５】
また、本願の各実施例において、各機能ユニットは１つの処理ユニットに統合されてもよく、各ユニットは独立して物理的に存在してもよく、２つ又は２つ以上のユニットが１つのユニットに統合されてもよい。
【００９６】
前記機能がソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、そして該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【００９７】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021518064.tif 000004
【図２】
2021518064.tif 000005
【図３】
2021518064.tif 000006
【図４】
2021518064.tif 000007
【図５】
2021518064.tif 000008
【図６】
2021518064.tif 000009
【図７】
2021518064.tif 000010
【手続補正書】
【提出日】令和3年1月28日(2021.1.28)
【手続補正１】
【補正対象書類名】明細書
【補正対象項目名】０００７
【補正方法】変更
【補正の内容】
【０００７】
１つの可能な実現方式では、前記伝送パラメータが変化することは、伝送帯域幅部分（ＢＷＰ）が変化することを含む。
【手続補正２】
【補正対象書類名】明細書
【補正対象項目名】００１１
【補正方法】変更
【補正の内容】
【００１１】
１つの可能な実現方式では、前記伝送パラメータが変化することは、伝送帯域幅部分（ＢＷＰ）が変化し、且つ基本パラメータセットが変化することを含む。
【手続補正３】
【補正対象書類名】明細書
【補正対象項目名】００１８
【補正方法】変更
【補正の内容】
【００１８】
第２態様は端末装置を提供し、該端末装置は上記の第１態様又は第１態様のいずれかの選択可能な実現方式における端末装置の動作を実行できる。具体的に、該端末装置は上記第１態様又は第１態様のいずれかの可能な実現方式を実行する端末装置を備える。
【手続補正４】
【補正対象書類名】明細書
【補正対象項目名】００２４
【補正方法】変更
【補正の内容】
【００２４】
図１は本願実施例の適用する無線通信システム１００を示す。該無線通信システム１００はネットワーク装置１１０を備えてもよい。ネットワーク装置１１０は端末装置と通信する装置であってもよい。ネットワーク装置１１０は特定の地理的区域に通信カバレッジを提供でき、そして該カバレッジ区域内に位置する端末装置（例えばＵＥ）と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよく、又は、該ネットワーク装置は、中継局、アクセスポイント、車載装置、ウェアラブルデバイス、将来の５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正５】
【補正対象書類名】明細書
【補正対象項目名】００４４
【補正方法】変更
【補正の内容】
【００４４】
まずは第１の情況、該伝送パラメータが変化することが、伝送帯域幅部分（ＢＷＰ）が変化することを含む、という場合について説明する。このような場合では、端末装置は以下の３つの方式でＤＲＸパラメータを調整してもよい。
【手続補正６】
【補正対象書類名】明細書
【補正対象項目名】００５１
【補正方法】変更
【補正の内容】
【００５１】
基本パラメータセットとＤＲＸパラメータとの該マッピング関係は、例えば、表１に示すようなものであってもよい。端末装置のデータ伝送に使用されるＢＷＰが変化した場合、異なる基本パラメータセット（サブキャリア間隔）と異なるＤＲＸパラメータとの該マッピング関係に基づいて、直接にＤＲＸパラメータを最も小さいサブキャリア間隔に対応するＤＲＸパラメータ、即ち、１５ｋＨｚに対応するＤＲＸパラメータに調整してもよい。
【手続補正７】
【補正対象書類名】明細書
【補正対象項目名】００５５
【補正方法】変更
【補正の内容】
【００５５】
以下は第２の情況を説明する。第２の情況では、該伝送パラメータが変化することは、伝送帯域幅部分（ＢＷＰ）が変化し、且つ基本パラメータセットが変化することを含む。又は、該伝送パラメータが変化することは基本パラメータセットが変化することを含むというように言ってもよく、何故なら、基本パラメータセットが変化することは該端末装置の使用するＢＷＰも変化することを意味するからである。
【手続補正８】
【補正対象書類名】明細書
【補正対象項目名】００５９
【補正方法】変更
【補正の内容】
【００５９】
基本パラメータセットとＤＲＸパラメータとの該マッピング関係は、例えば、表１に示すようなものであってもよい。例えば、仮に該基本パラメータセットにサブキャリア間隔が含まれ、端末がその使用するサブキャリア間隔が３０ｋＨｚから１５ｋＨｚに切り替わったと判断した場合、該端末装置はＤＲＸパラメータを１５ｋＨｚに対応するＤＲＸパラメータに調整し、即ち、ＤＲＸ継続時間タイマのタイミング時間長さを１ｍｓ以上に調整し、そしてＤＲＸタイムスロットオフセットを０ｍｓに調整し、そして調整後のＤＲＸパラメータに基づいてＰＤＣＣＨを監視する。
【手続補正９】
【補正対象書類名】明細書
【補正対象項目名】００６２
【補正方法】変更
【補正の内容】
【００６２】
基本パラメータセットとＤＲＸパラメータとの該マッピング関係は、例えば、表１に示すようなものであってもよい。端末装置のデータ伝送に使用されるＢＷＰが変化した場合、異なる基本パラメータセット（サブキャリア間隔）と異なるＤＲＸパラメータとのマッピング関係に基づいて、直接にＤＲＸパラメータを最も小さいサブキャリア間隔に対応するＤＲＸパラメータ、即ち、１５ｋＨｚに対応するＤＲＸパラメータに調整してもよい。
【手続補正１０】
【補正対象書類名】明細書
【補正対象項目名】００６６
【補正方法】変更
【補正の内容】
【００６６】
該特定のＤＲＸパラメータは例えば、方式２における最も小さいサブキャリア間隔に対応するＤＲＸパラメータであり、又は他のデフォルトのＤＲＸパラメータであってもよい。
【手続補正１１】
【補正対象書類名】明細書
【補正対象項目名】００６７
【補正方法】変更
【補正の内容】
【００６７】
選択肢として、４１０の前、即ち端末装置がＤＲＸパラメータを調整する前に、該端末装置は複数の基本パラメータセットと複数のＤＲＸパラメータとのマッピング関係を取得する必要がある。具体的に、該端末装置はネットワーク装置から送信された、該マッピング関係を示すための設定情報を受信してもよく、これにより、ネットワークの設定情報に基づいて該マッピング関係を取得し、又は、該マッピング関係は事前に約束され、そして該端末装置に事前に記憶されたものであってもよい。
【手続補正１２】
【補正対象書類名】明細書
【補正対象項目名】００７３
【補正方法】変更
【補正の内容】
【００７３】
選択肢として、前記伝送パラメータが変化することは、伝送帯域幅部分（ＢＷＰ）が変化することを含む。
【手続補正１３】
【補正対象書類名】明細書
【補正対象項目名】００７７
【補正方法】変更
【補正の内容】
【００７７】
選択肢として、前記伝送パラメータが変化することは、伝送帯域幅部分（ＢＷＰ）が変化し、且つ基本パラメータセットが変化することを含む。
【手続補正１４】
【補正対象書類名】特許請求の範囲
【補正対象項目名】全文
【補正方法】変更
【補正の内容】
【特許請求の範囲】
【請求項１】
間欠受信（ＤＲＸ）の方法であって、
端末装置のデータ伝送に使用される伝送パラメータが変化した場合、前記端末装置がＤＲＸパラメータを調整することと、
前記端末装置が調整後の前記ＤＲＸパラメータに基づいて物理ダウンリンク制御チャネル（ＰＤＣＣＨ）を監視することと、を含むことを特徴とする間欠受信（ＤＲＸ）の方法。
【請求項２】
前記伝送パラメータが変化することは、伝送帯域幅部分（ＢＷＰ）が変化することを含むことを特徴とする請求項１に記載の方法。
【請求項３】
前記端末装置がＤＲＸパラメータを調整することは、
前記端末装置が複数の基本パラメータセットと複数のＤＲＸパラメータとのマッピング関係に基づいて、前記ＤＲＸパラメータを第１基本パラメータセットに対応するＤＲＸパラメータに調整し、前記第１基本パラメータセットは変化後のＢＷＰにおいて採用される基本パラメータセットであることを含むことを特徴とする請求項２に記載の方法。
【請求項４】
前記端末装置がＤＲＸパラメータを調整することは、
前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含むことを特徴とする請求項２に記載の方法。
【請求項５】
前記端末装置がＤＲＸパラメータを調整することは、
前記端末装置が前記ＤＲＸパラメータを特定のＤＲＸパラメータに調整し、前記特定のＤＲＸパラメータはネットワーク装置により事前設定されたものであることを含むことを特徴とする請求項２に記載の方法。
【請求項６】
前記伝送パラメータが変化することは、伝送帯域幅部分（ＢＷＰ）が変化し、且つ基本パラメータセットが変化することを含むことを特徴とする請求項１に記載の方法。
【請求項７】
前記端末装置がＤＲＸパラメータを調整することは、
前記端末装置が複数の基本パラメータセットと複数のＤＲＸパラメータとのマッピング関係に基づいて、前記ＤＲＸパラメータを、変化後の基本パラメータセットに対応するＤＲＸパラメータに調整することを含むことを特徴とする請求項６に記載の方法。
【請求項８】
前記端末装置がＤＲＸパラメータを調整することは、
前記端末装置が複数の基本パラメータセットと複数のＤＲＸパラメータとのマッピング関係に基づいて、前記ＤＲＸパラメータを第２基本パラメータセットに対応するＤＲＸパラメータに調整し、前記第２基本パラメータセットはサブキャリア間隔が最も小さい基本パラメータセットであることを含むことを特徴とする請求項６に記載の方法。
【請求項９】
前記端末装置がＤＲＸパラメータを調整することは、
前記端末装置が前記ＤＲＸパラメータを特定のＤＲＸパラメータに調整し、前記特定のＤＲＸパラメータはネットワーク装置により事前設定されたものであることを含むことを特徴とする請求項６に記載の方法。
【請求項１０】
最も小さいサブキャリア間隔は１５ｋＨｚであることを特徴とする請求項４又は８に記載の方法。
【請求項１１】
前記端末装置がＤＲＸパラメータを調整する前に、前記方法は更に、
前記端末装置がネットワーク装置から送信された設定情報を受信し、前記設定情報は前記マッピング関係を示すことに用いられること、又は、
前記端末装置が、前記端末装置に事前に記憶された前記マッピング関係を取得することを含むことを特徴とする請求項３、４、７、８、１０のいずれか１項に記載の方法。
【請求項１２】
前記ＤＲＸパラメータはＤＲＸ継続時間タイマ、及び／又はＤＲＸタイムスロットオフセットを含むことを特徴とする請求項１〜１１のいずれか１項に記載の方法。
【請求項１３】
端末装置であって、
データ伝送に使用される伝送パラメータが変化した場合、間欠受信（ＤＲＸ）パラメータを調整することに用いられる調整ユニットと、
前記調整ユニットにより調整された後の前記ＤＲＸパラメータに基づいて物理ダウンリンク制御チャネル（ＰＤＣＣＨ）を監視することに用いられる通信ユニットと、を備えることを特徴とする端末装置。
【請求項１４】
前記伝送パラメータが変化することは、伝送帯域幅部分（ＢＷＰ）が変化することを含むことを特徴とする請求項１３に記載の端末装置。
【請求項１５】
前記伝送パラメータが変化することは、伝送帯域幅部分（ＢＷＰ）が変化し、且つ基本パラメータセットが変化することを含むことを特徴とする請求項１３に記載の端末装置。
【国際調査報告】
2021518064.tif 000011
2021518064.tif 000012
2021518064.tif 000013
2021518064.tif 000014